(57)【特許請求の範囲】
【請求項１】
原動機付乗物のための電気系統（１）であって、
前記電気系統（１）は、少なくとも１つの低電圧消費機器（２９）のための低電圧サブネットワーク（２１）と、少なくとも１つの高電圧消費機器（２５）のための高電圧サブネットワーク（２０）と、始動発電機（３０）と、を有し、前記高電圧サブネットワーク（２０）は、結合ユニット（３３）を介して前記低電圧サブネットワーク（２１）と接続され、前記結合ユニット（３３）は、前記高電圧サブネットワーク（２０）からエネルギーを取得して前記低電圧サブネットワーク（２１）に伝達するよう構成され、前記高電圧サブネットワーク（２０）は、バッテリ（４０）を有し、前記バッテリ（４０）は、高電圧を生成して前記高電圧サブネットワーク（２０）へと出力するよう構成され、及び、前記結合ユニット（３３）へと案内される個別電圧タップ（８０）を備えた少なくとも２つのバッテリユニット（４１）を有し、前記結合ユニット（３３）は、前記バッテリユニット（４１）を前記低電圧サブネットワーク（２１）へと選択的に接続するよう構成され、
前記結合ユニット（３３）は、順阻止能力を有するスイッチ（９０）を有し、
前記順阻止能力を有するスイッチ（９０）は、２つの前記バッテリユニット（４１）間を接続し、
前記順阻止能力を有するスイッチ（９０）の一方の端子は前記低電圧サブネットワーク（２１）の陰極（５１）と接続され、前記順阻止能力を有するスイッチ（９０）の他方の端子は前記低電圧サブネットワーク（２１）の正極（５２）と接続される、電気系統（１）。
【請求項２】
前記バッテリユニット（４１）は各々低電圧を提供するために設計されることを特徴とする、請求項１に記載の電気系統（１）。
【請求項３】
前記結合ユニット（３３）は、逆阻止能力を有するスイッチ（４４、４５）を有することを特徴とする、請求項１〜２のいずれか１項に記載の電気系統（１）。
【請求項４】
前記結合ユニット（３３）は、前記低電圧サブネットワーク（２１）に対して少なくとも２つのバッテリユニット（４１）を互いに並列に接続するよう構成されることを特徴とする、請求項１〜３のいずれか１項に記載の電気系統（１）。
【請求項５】
前記結合ユニット（３３）は、前記高電圧サブネットワーク（２０）に対して少なくとも２つのバッテリユニット（４１）を直列に接続するよう構成されることを特徴とする、請求項１〜４のいずれか１項に記載の電気系統（１）。
【請求項６】
前記低電圧サブネットワーク（２１）は、コンデンサ（２８）を有することを特徴とする、請求項１〜５のいずれか１項に記載の電気系統（１）。
【請求項７】
前記電気系統（１）は、前記バッテリユニット（４１）の接続のために前記結合ユニット（３３）を制御する制御装置を有することを特徴とする、請求項１〜６のいずれか１項に記載の電気系統（１）。
【請求項８】
内燃機関と、請求項１〜７のいずれか１項に記載の電気系統（１）と、を備えた原動機付乗物。
【発明の詳細な説明】
【技術分野】
【０００１】
本発明は、原動機付乗物のための電気系統、及び、このような電気系統を備える原動機付乗物に関する。
【背景技術】
【０００２】
内燃機関を備える原動機付車両には、内燃機関のための電気始動機又はスタータ、及び原動機付車両の他の電気装置への電力供給のために、標準的に１２ボルトで駆動する電気系統が設けられている。内燃機関の始動時には、電気系統を介して、スタータバッテリによって電圧がスタータに供給される。このスタータは、例えば対応する始動信号によりスイッチが閉鎖された場合に、内燃機関を起動する。内燃機関が始動した場合には、内燃機関は発電機を駆動し、この発電機は、約１２ボルトの電圧を生成して、電気系統を介して車両内の様々な電気消費機器に提供する。その際に、発電機は、始動過程によって負荷が掛かったスタータバッテリの再充電も行う。バッテリが電気系統を介して充電される場合には、実際の電圧が、公称電圧を上回っている可能性があり、例えば１４Ｖ又は１４．４Ｖでありうる。電圧が１２Ｖ又は１４Ｖの電気系統は、本開示の範囲においては低電圧電気系統と呼ばれる。
【０００３】
電気自動車及びハイブリッド自動車には、公称電圧が４８Ｖの他の電気系統を実装することが知られており、本発明の範囲においては高電圧電気系統とも呼ばれる。
【発明の概要】
【課題を解決するための手段】
【０００４】
本発明は、原動機付乗物のための電気系統であって、電気系統は、少なくとも１つの低電圧消費機器のための低電圧サブネットワークと、少なくとも１つの高電圧消費機器のための高電圧サブネットワークと、始動発電機と、を有し、高電圧サブネットワークは、結合ユニットを介して低電圧サブネットワークと接続され、結合ユニットは、高電圧ネットワークからエネルギーを取得して低電圧ネットワークに伝達するよう構成され、高電圧サブネットワークはバッテリを有し、バッテリは、高電圧を生成して高電圧サブネットワークへと出力するよう構成され、及び、結合ユニットへと案内される個別電圧タップを備えた少なくとも２つのバッテリユニットを有し、結合ユニットは、バッテリユニットを低電圧サブネットワークへと選択的に接続するよう構成される、上記電気系統を提供する。
【０００５】
本発明は、低電圧サブネットワークによって、第１の低い電圧が指定された電気消費機器が駆動され、高出力消費機器のためには、高電圧サブネットワーク、即ち第１の電圧に対して電圧が上げられているサブ電気系統が提供されるという利点を有する。低電圧サブネットワークへの電力供給は、高電圧サブネットワーク内での充電過程及び放電過程と重なっている。高電圧サブネットワークを介した低電圧サブネットワークへの電力供給は単方向に行われ、即ち、結合ユニットは、好適に一方向にのみエネルギー転送を提供する。
【０００６】
電気系統は、例えば風力発電所のような定置型の適用においても、例えばハイブリッド自動車及び電気自動車等の車両でも、使用されうる。特に、電気系統は、スタートストップシステムを有する車両で使用されうる。
【０００７】
紹介されるシステム、即ち、電気系統と、これに属する制御装置、即ち例えばバッテリ管理システムとは、特に、４８Ｖ系発電機及び１４Ｖ系スタータを有する車両での使用に適しており、その際に、１４Ｖ系スタータは、好適にスタート／ストップシステムのために設計されている。
【０００８】
紹介されるシステムは、特に、所謂ブースト回生システム（ＢＲＳ）を有する車両での使用に適している。ブースト回生システム（ＢＲＳ）では、制動過程において、山道走行の際に、又は、コースティング（惰性）駆動（Ｓｅｇｅｌｂｅｔｒｉｅｂ）時に電気エネルギーが獲得され、この電気エネルギーが電気消費機器に供給される。ＢＲＳによってシステムの効率が向上し、従って、燃料が節約され又は排気量が削減されうる。その際に、高電圧サブネットワーク内のバッテリは、内燃機関をサポートすることが可能であり、このことは所謂ブースト（Ｂｏｏｓｔ）と呼ばれ、又は、上記バッテリは、短い区間を低速で、純粋に電気で走行するために使用され、例えば電動で駐車する際又は駐車場から出る際に使用されうる。
【０００９】
「バッテリ」及び「バッテリユニット」という概念は、本明細書では、通常の言語使用に合わせて、蓄電池又は蓄電ユニットのために利用される。バッテリは、１つ以上のバッテリユニットを含み、このバッテリユニットは、バッテリセル、バッテリモジュール、モジュール線、又はバッテリパックを表しうる。その際に、バッテリセルは、好適に空間的にまとめられて、回路技術により互いに接続され、例えば直列又は並列に接続されてモジュールとなる。複数のモジュールは、所謂バッテリダイレクトコンバータ（ＢＤＣ：ｂａｔｔｅｒｙ  ｄｉｒｅｃｔ  ｃｏｎｖｅｒｔｅｒ）を形成し、複数のバッテリダイレクトコンバータは、バッテリダイレクトインバータ（ＢＤＣ：ｂａｔｔｅｒｙ  ｄｉｒｅｃｔ  ｉｎｖｅｒｔｅｒ）を形成しうる。
【００１０】
独立請求項で示される主題の有利な発展形態及び改良例は、独立請求項に記載された措置によって可能である。
【００１１】
従って、選択的に接続可能なバッテリユニットが各々、低電圧を提供するために設計される場合には有利である。即ち、例えばスタートストップシステムをサポートするために低電圧を提供するように、バッテリユニットが代わる代わる要求され、これにより、バッテリユニットの寿命が長くなる。
【００１２】
好適な実施形態によれば、逆阻止能力を有する少なくとも１つのスイッチを有する。好適に、逆阻止能力を有するスイッチは、選択的に接続可能なバッテリユニットを低電圧サブネットワークへと接続し又は当該低電圧サブネットワークから分離するために適している。このスイッチは、「オン」状態では、一方向にのみ電流の流れを可能にし、「オフ」状態では、両方の極性の逆電圧を受け入れられるという特性を有する。
【００１３】
バッテリユニットが低電圧サブネットワークに接続される際には、好適に、逆阻止能力のある少なくとも１つのスイッチが、特に好適に、逆阻止能力を有する２つのスイッチが作動される。低電圧サブネットワークからバッテリユニットが分離される際にも同様に、好適に逆阻止能力のある少なくとも１つのスイッチが、特に好適に、逆阻止能力を有する２つのスイッチが作動される。
【００１４】
好適な実施形態によれば、結合ユニットは、順阻止能力を有する少なくとも１つのスイッチを有する。好適に、順阻止能力を有するスイッチは、選択的に接続可能なバッテリユニットを直列に接続させるために適している。好適に、２つのバッテリユニットの間の線が切断される際に、順阻止能力を有する少なくとも１つのスイッチが作動されることが構想される。同様に、上記２つのバッテリユニットの間の線が接続される際には、順阻止能力を有する少なくとも１つのスイッチが作動されることが構想される。
【００１５】
好適な実施形態によれば、結合ユニットは、低電圧サブネットワークに対して少なくとも２つのバッテリユニットを互いに並列に接続するよう構成される。これにより、２つのバッテリユニットの充電状態が著しく異なっている際には、より高い充電状態を有し又はより高い電圧を提供するバッテリユニットから、低電圧サブネットワークへの電力供給が行われる。バッテリユニットの充電状態が同じであり又は類似している際には、低電圧サブネットワークは、両方のバッテリユニットから電力供給される。
【００１６】
好適な実施形態によれば、結合ユニットは、高電圧サブネットワークに対して少なくとも２つのバッテリユニットを直列に、即ち互いに一列に接続するよう構成される
【００１７】
さらに、低電圧サブネットワークが少なくとも１つのコンデンサを有することが構想されうる。コンデンサは、好適に、接続されるバッテリユニットの変更の際に低電圧を引き続き安定化させるよう構成される。さらに、コンデンサは好適に、少なくとも短期間の間低電圧を生成して低電圧サブネットワークへと出力するよう構成されたエネルギー貯蔵器としても適している。
【００１８】
電気系統電流が可能な限り小さい時点に上記切り替えが行われる場合には、低電圧サブネットワークでの電圧降下が有利にさらに減らされる。このことは、例えば、電気系統電流のための信号の評価、及び、当該評価に依存した、結合ユニットのスイッチの駆動によって行われうる。さらに、消費機器管理システムとの同期化も、例えば暖房システム等の高出力消費機器を短時間の間快適性を失わずに停止させるために、重大な電圧降下を起こさずにバッテリユニットの切り替え過程を可能とするために、行われうる。
【００１９】
好適に、電気系統は、バッテリユニットの接続のために結合ユニットを制御する制御装置を有する。制御装置は、例えば、バッテリに対応付けられたバッテリ管理システムに対応付けられ、バッテリ管理システムは、例えば、バッテリ又はバッテリユニットの温度と、提供された電圧と、放出された電流と、充電状態と、についての測定データを収集し、処理し、これに基づき例えば、バッテリの健康状態について言明を行うよう構成された更なる別のユニットを備える。結合ユニットを制御する制御装置は、コンピュータプログラムを有してもよく、このコンピュータプログラムは、例えば、永久記憶媒体若しくは書き換え可能な記憶媒体等の、機械読み取り可能な記憶媒体に格納されてもよく、又は、コンピュータ装置の付属品に格納されてもよく、例えば、ＣＤ−ＲＯＭ、ＤＶＤ、ブルーレイ（Ｂｌｕ−ｒａｙ、登録商標）ディスク、ＵＳＢスティック、若しくは、メモリカード等の、携帯可能なメモリに格納されてもよい。追加的又は代替的に、コンピュータプログラムは、例えばインタネット等のデータネットワークを介した又は電話線若しくは無線接続等の通信接続を介した、ダウンロードのために、例えばサーバ又はクラウドサーバ等のコンピュータ装置上に提供されてもよい。
【００２０】
本発明によれば、さらに、内燃機関と、以前に記載された電気系統と、を備えた原動機付乗物が示される。
【発明の効果】
【００２１】
本発明は、車両のためのリチウムイオンバッテリシステムの安価な電気系統を提供し、この電気系統は、高電圧サブネットワークと、低電圧サブネットワークと、低電圧サブネットワークに対して単方向に電力供給するブースト回生システムと、を有する。その際に、公知のシステムに対して、絶縁型ＤＣ／ＤＣコンバータ、及び、鉛蓄電池を無くすことが可能である。さらに、低電圧サブネットワーク内に別体のスタータが必要ではない。従って本システムは、容積が減って、現在開発中のブースト回生システムに対して軽量化されていることにより卓越している。さらに、ブースト回生システムは、適切な設計において、現在開発中のブースト回生システムに対して明らかにより多くのエネルギーを貯蔵し、これにより、より長い制動過程又は山道走行の際に、より多くの電気エネルギーをシステム内で回収することが可能である。
【図面の簡単な説明】
【００２２】
本発明の実施例が図面に示され、以下の明細書の記載において詳細に解説される。
【図１】従来技術による低電圧サブネットワークを示す。
【図２】高電圧サブネットワーク、低電圧サブネットワーク、及び単方向型の絶縁型ＤＣ／ＤＣコンバータを備えた電気系統を示す。
【図３】高電圧サブネットワーク、低電圧サブネットワーク、及び双方向型の絶縁型ＤＣ／ＤＣコンバータを備えた電気系統を示す。
【図４】高電圧サブネットワーク、低電圧サブネットワーク、及び単方向型の非絶縁型ＤＣ／ＤＣコンバータを備えた電気系統を示す。
【図５】例示的な駆動状態における結合ユニットを示す。
【図６】他の例示的な駆動状態における図５の結合ユニットを示す。
【図７】更に別の例示的な駆動状態における図５の結合ユニットを示す。
【図８】逆阻止能力を有するスイッチ及び順阻止能力を有するスイッチを示す。
【発明を実施するための形態】
【００２３】
図１は、従来技術による電気系統１を示している。内燃機関の始動時には、電気系統１を介して、スタータバッテリ１０によって電圧がスタータ１１に提供される。このスタータ１１は、例えば、対応する始動信号によってスイッチ１２が閉鎖された場合には、内燃機関（図示せず）を始動させる。内燃機関が始動した場合には、内燃機関は発電機１３を駆動し、この発電機１３は、約１２ボルトの電圧を生成して、電気系統１を介して車両内の様々な電気消費機器１４に提供する。その際に、発電機１３はさらに、始動過程により負荷が掛かったスタータバッテリ１０を再充電する。
【００２４】
図２は、高電圧サブネットワーク２０と、低電圧サブネットワーク２１と、単方向型の絶縁型ＤＣ／ＤＣコンバータ２２と、を備えた電気系統１を示しており、単方向型の絶縁型ＤＣ／ＤＣコンバータ２２が、高電圧サブネットワーク２０と低電圧サブネットワーク２１との間の結合ユニットを形成する。電気系統１は、車両、特に原動機付乗物（Ｋｒａｆｔｆａｈｒｚｅｕｇ）、輸送車、又はフォークリフトの電気系統であってもよい。
【００２５】
高電圧サブネットワーク２０は、例えば、内燃機関（図示せず）により駆動可能な発電機２３を備えた４８Ｖ系電気系統である。発電機２３は、本実施例では、車両の原動機の回転運動に従って電気エネルギーを生成して、高電圧サブネットワーク２０に供給するよう構成される。高電圧サブネットワーク２０はさらに、例えばリチウムイオンバッテリとして構成可能なバッテリ２４を備え、このバッテリ２４は、必要な駆動電圧を高電圧サブネットワークに出力するよう構成される。高電圧サブネットワーク２０には、更なる別の負荷抵抗２５が配置され、この負荷抵抗２５は例えば、高電圧で駆動される、原動機付乗物の少なくとも１つの電気消費機器によって、好適には複数の電気消費機器によって形成されうる。
【００２６】
ＤＣ／ＤＣコンバータ２２の出力側に配置された低電圧サブネットワーク２１には、内燃機関を始動させるためにスイッチ２７を閉鎖するよう構成されたスタータ２６と、低電圧サブネットワーク２１のための、例えば１２Ｖ又は１４Ｖの低電圧を提供するよう構成されたエネルギー貯蔵器２８と、が配置されている。低電圧サブネットワーク２１には、低電圧で駆動される更なる別の消費機器２９が配置されている。エネルギー貯蔵器２８は、例えばガルバニック電池を含み、特に、完全に充電された状態（ＳＯＣ（ｓｔａｔｅ  ｏｆ  ｃｈａｒｇｅ）＝１００％）で通常は１２．８ボルトの電圧を有する鉛蓄電池によるガルバニック電池を含む。バッテリが放電された際（ＳＯＣ（ｓｔａｔｅ  ｏｆ  ｃｈａｒｇｅ）＝０％）には、エネルギー貯蔵器２８は、負荷が掛かっていない状態で、典型的に１０．８ボルトの端子電圧を有する。低電圧サブネットワーク２１での電気系統電圧は、走行駆動時には、温度、及び、エネルギー貯蔵器２８の充電状態に従って、およそ１０．８〜１５ボルトの範囲内にある。
【００２７】
ＤＣ／ＤＣコンバータ２２は、入力側では、高電圧サブネットワーク２０及び発電機２３と接続されている。ＤＣ／ＤＣコンバータ２２は、出力側では、低電圧サブネットワーク２１と接続されている。ＤＣ／ＤＣコンバータ２２は、入力側で受信される直流電圧、即ち例えば、高電圧サブネットワークがそれで駆動する例えば１２〜４８Ｖの直流電圧を受信して、入力側で受信される電圧とは異なる出力電圧を生成し、特に、入力側で受信される電圧よりも小さい例えば１２Ｖ又は１４Ｖの出力電圧を生成するよう構成される。
【００２８】
図３は、高電圧サブネットワーク２０と低電圧サブネットワーク２１とを備えた電気系統１を示し、高電圧サブネットワーク２０と低電圧サブネットワーク２１とは、双方向型の絶縁型ＤＣ／ＤＣコンバータ３１によって接続されている。示される電気系統１は、実質的には図２で示した電気系統のように構成されているが、ここでは、発電機が、高電圧サブネットワークに組み込まれており、サブネットワーク２０、２１間でのエネルギー転送のために、絶縁型に構成されたＤＣ／ＤＣコンバータ３１が使用される。さらに、両方のサブネットワーク２０、２１に、バッテリ２４、２８と消費機器２５、２９とが、図２について記載したように配置されている。実質的には、図３で示すシステムは、スタータが組み込まれていることが異なっている。図２で示したシステムではスタータ２６が低電圧サブネットワーク２１に配置され、これによりＤＣ／ＤＣコンバータ２２が、高電圧サブネットワーク２０から低電圧サブネットワーク２１へのエネルギー転送のために単方向型に設計されるのに対し、図３で示される構成では、始動発電機３０が高電圧サブネットワーク２０で使用される。この場合、ＤＣ／ＤＣコンバータ３１は双方向型に実現され、従って、リチウムイオンバッテリ２４が、場合により、低電圧サブネットワーク２１を介して充電されうる。その場合には、低電圧車両の始動補助は、低電圧インタフェース、及び、ＤＣ／ＤＣコンバータ３１を介して行われる。
【００２９】
図４は、高電圧サブネットワーク２０及び低電圧サブネットワーク２１を備えた電気系統１、即ち例えば、車両、特に、原動機付乗物、輸送車、又はフォークリフトの電気系統１を示している。電気系統１は、特に、４８Ｖ系発電機と、１４Ｖ系スタータと、ブースト回生システムと、を備えた車両での使用に適している。
【００３０】
高電圧サブネットワーク２０は、始動発電機３０を備え、この始動発電機３０は、内燃機関（図示せず）を始動させることが可能であり、かつ内燃機関によって駆動されうる。始動発電機３０は、車両の原動機の回転運動に従って電気エネルギーを生成して、高電圧サブネットワーク２０に供給するよう構成される。高電圧サブネットワーク２０には、他の負荷抵抗２５が配置されており、この負荷抵抗２５は、例えば、高電圧で駆動される、原動機付乗物の少なくとも１つの電気消費機器、好適には複数の消費機器により形成されうる。
【００３１】
高電圧サブネットワーク２０は、例えばリチウムイオンバッテリとして構成可能なバッテリ４０をさらに含み、このバッテリ４０は、４８Ｖの駆動電圧を高電圧サブネットワークに出力するよう構成される。リチウムイオンバッテリ４０は、公称電圧が４８ボルトの際に、必要な電気エネルギーを貯蔵しうるために、好適に約１５Ａｈの最小容量を有する。
【００３２】
バッテリ４０は、複数のバッテリユニット４１‐１、４１‐２、…４１‐ｎを有し、その際に、このバッテリユニット４１には、複数のバッテリセルが対応付けられており、この複数のバッテリセルは、要求される電力データ及びエネルギーデータをバッテリ４１によって実現するために、通常では互いに直列に接続され、部分的に更に互いに並列に接続される。
【００３３】
バッテリユニット４１‐１、４１‐２、…４１‐ｎには、個別の電圧タップ８０‐１１、８０‐１２、８０‐２１、８０−２２、…８０‐ｎ１、８０‐ｎ２が対応付けられており、これら個別の電圧タップ８０‐１１、８０‐１２、８０‐２１、８０‐２２、…８０‐ｎ１、８０‐ｎ２を介して、結合ユニット３３に電圧が伝達される。結合ユニット３３は、バッテリ４０のバッテリユニット４１の少なくとも１つを低電圧サブネットワーク２１へと、当該低電圧サブネットワークの駆動又はサポートのために接続し、さらに、上記少なくとも１つのバッテリユニット１を高電圧サブネットワーク２０対して適切に接続するというタスクを有する。
【００３４】
結合ユニット３３は、高電圧サブネットワーク２０を低電圧サブネットワーク２１と結合し、出力側で、低電圧サブネットワーク２１に、例えば１２Ｖ又は１４Ｖの必要な駆動電圧を提供する。結合ユニット３３の構成及び機能形態は、図５〜７の関連において記載される。
【００３５】
低電圧サブネットワーク２１は、例えば１４Ｖの電圧での駆動のために設計された低電圧消費機器２９を備える。一実施形態によれば、リチウムイオンバッテリ４０は、乗物（Ｆａｈｒｚｅｕｇ）が停止している際に、消費機器２５、２９として示される停動電流消費機器への電力供給を行うことが構想される。例えば、ここでは、所謂飛行場検査の要件が満たされるということが構想可能であり、その際に、６週間の停止時間の後で飛行機は未だ始動可能であり、バッテリは、例えば盗難警報装置に電力供給するために、上記停止時間の間低電圧サブネットワーク２１内の低電圧消費機器２９に停動電流を提供する。
【００３６】
任意に、低電圧サブネットワーク２１には、短期間で非常に大きな電力を出力することが可能な、即ち高出力に対して最適化された大電力貯蔵器２８又は一時貯蔵器が配置される。大電力貯蔵器２８は、バッテリユニット４１の切り替えの際の過電圧が大幅に回避されるという目的を満たす。大電力貯蔵器２８としてコンデンサが使用される場合には、その大きさは、好適に以下のとおりである。
【００３７】
【数１】
0006313473.tif 000002
【００３８】
但し、Iｍａｘは、切り替え過程の間に電気系統を流れられる最大電気系統電流であり、ｔｕｍｓｃｈａｌｔは、電力供給のためにバッテリユニット４１が提供されない時間であり、ΔＵｍａｘは、切り替え過程の間の電気系統電圧の最大許容変化量である。
【００３９】
図５は、双方向型の非絶縁型直流電圧コンバータ（ＤＣ／ＤＣコンバータ）として実現された結合ユニット３３を示している。結合ユニット３３は、逆阻止能力を有するスイッチ４４、４５を含み、この逆阻止能力を有するスイッチ４４、４５は、「オン」状態では、一方向にのみ電流の流れを可能とし、「オフ」という第２の状態では、両方の極性の逆電圧を受け入れられるという特性を有する。このことは、例えばＩＧＢＴ（Ｉｎｓｕｌａｔｅｄ  Ｇａｔｅ  Ｂｉｐｏｌａｒ  Ｔｒａｎｓｉｓｔｏｒ、絶縁ゲート・バイポーラ・トランジスタ）スイッチのようなシングル半導体スイッチとの基本的な違いである。なぜならば、ＩＧＢＴスイッチは、逆方向には、その固有のダイオードに基づき逆電圧を受け入れられないからである。電流フローの方向に対する依存性に基づいて、図５には、２つの異なる種類のスイッチ、即ちＲＳＳ＿Ｉ４５及びＲＲＳ＿ｒ４４が示されており、これらスイッチＲＳＳ＿Ｉ４５及びＲＲＳ＿ｒ４４は、その製造において異なっている必要は無く、極性のみ異なって作成されている。逆阻止能力を有するスイッチ４４、４５の詳細な構成の一例は、図８との関連で記載される。
【００４０】
結合ユニット３３では、バッテリユニット４１の個別タップ８０が各々、逆阻止能力を有する異なるスイッチＲＳＳ＿Ｉ４５とＲＲＳ＿ｒ４４のうちの一方に案内されている。逆阻止能力を有するスイッチＲＳＳ＿Ｉ４５は、結合ユニット３３の出力側で正極５２と接続され、逆阻止能力を有するＲＲＳ＿ｒ４４は、結合ユニット３３の出力側で陰極５１へと接続される。
【００４１】
結合ユニット３３は、順阻止能力を有するスイッチＶＳＳ９０を備え、この順阻止能力を有するスイッチＶＳＳ９０は、例えば標準の半導体スイッチでありうる。順阻止能力を有するスイッチ９０の詳細な構成の一例は、図８との関連で記載される。結合ユニット３３内では、バッテリユニット４１の個別タップが、枝のように分かれており、逆阻止能力を有するスイッチに対して並列に、各順阻止能力を有するスイッチＶＳＳ９０へと案内されている。順阻止能力を有するスイッチＶＳＳ９０は、スイッチ９０が閉鎖される場合には、バッテリユニット４１を互いに直列に接続させる。その際に、２つのバッテリユニット４１の間に順阻止能力を有するスイッチＶＳＳ９０が配置されており、従って、ｎ個のバッテリユニット４１ｎ‐１が存在する際には、順阻止能力を有するスイッチＶＳＳ９０‐１、ＶＳＳ９０‐２、…、ＶＳＳ９０‐ｎ‐１が設けられる。
【００４２】
符号７３によって、高電圧サブネットワークに電力供給するための、バッテリユニット４１を通る電流経路が示される。その際に、順阻止能力を有する全てのスイッチ９０が閉鎖されている。
【００４３】
低電圧サブネットワーク２１のアースに対する高電圧サブネットワーク２０の電圧レベルは、どのバッテリユニット４１が接続されるかに依存する。しかしながら、どの駆動状態においても、電位のうちの一方は、高電圧と低電圧との和の高さである電圧限界値を超える値を有さず、即ち、４８Ｖ系ネットワークと１４Ｖ系ネットワークの際に約６２ボルトを超える値を有さない。しかしながら、低電圧サブネットワーク２１のアースに対して負電位が生じる可能性はある。
【００４４】
図６は、例えばバッテリユニット４１‐２からの、作動された逆阻止能力を有するスイッチＲＳＳ＿ｌ４５‐ｉ、ＲＳＳ＿ｒ４４‐ｉを介した、低電圧サブネットワーク２１への電力供給を示す。その際に、正極５２から電流経路７１が、逆阻止能力を有するスイッチＲＳＳ＿ｌ４５‐ｉを介して、接続された第２のバッテリユニット４１‐２を介して、逆阻止能力を有する他のスイッチＲＳＳ＿ｒ４４‐ｉを介して負極５１へと通じている。
【００４５】
順阻止能力を有するスイッチ９０を利用することによって、低電圧サブネットワーク２１に電力供給するために、２つ以上の下位バッテリ４１を並列に接続することが可能となる。この場合には、順阻止能力を有するスイッチ９０が、状態「オフ」へと制御される。並列に接続されたバッテリユニット４１の電圧レベルが異なる際には、低電圧サブネットワーク２１へのエネルギーの流れは、電圧レベルがより高い下位バッテリ４１のみから生じる。電圧レベルがより高い下位バッテリ４１から、電圧レベルがより低い下位バッテリ４１へのエネルギーの流れは、電圧がより低い下位バッテリ４１に対応付けられた逆阻止能力を有するスイッチ４４、４５によって阻止される。下位バッテリ４１が並列に接続される間、順阻止能力を有するスイッチ９０は停止され、発電機は、理想的に、高電圧サブネットワーク２０にはエネルギーを供給しない。
【００４６】
一実施形態によれば、電気系統又は制御システムは、順阻止能力を有するスイッチ９０が作動された場合にのみバッテリ４０が始動発電機３０にエネルギーを供給できるように、構成される。バッテリ４０の充電のために、順阻止能力を有するスイッチ９０は必ずしも作動されている必要はない。なぜならば、順阻止能力を有するスイッチ９０の固有のダイオードが充電電流を案内出来るからである。好適に、順阻止能力を有するスイッチ９０は、低電圧サブネットワーク２１への電力供給のための並行駆動が行われない場合には常に作動され、従って、順阻止能力を有するスイッチ９０内での損失電力が低減される。
【００４７】
始動発電機３０の駆動は、結合ユニット３３の駆動、及び、低電圧サブネットワーク２１への電力供給に依存しない。低電圧サブネットワーク２１に電力供給する接続されたバッテリユニット４１では、高電圧サブネットワーク電流、及び場合によっては、始動発電機３０によってバッテリ４０全体に供給される充電電流（発電機駆動）による、又は、バッテリ全体４０から取得される放電電流（モータ駆動（Ｍｏｔｏｒｂｅｔｒｉｅｂ））による重複が生じる。バッテリセルの許容限界値、例えば、セルの最大許容放電電流を越えない限り、これらの過程は、互いに独立したものとして見なされる。低電圧サブネットワーク２１に確実に電力供給するために、常に少なくとも１つのバッテリユニット４１が、対応するスイッチ４４、４５、９０を介して結合ユニット３３へと接続される。低電圧サブネットワーク２１への電力供給が何重にも重複して行われることに基づいて、上記紹介した構造によって、低電圧サブネットワーク２１内での電気エネルギーの利用可能性が非常に高いシステムが構築される。
【００４８】
図７は、例えばバッテリユニット４１‐１、４１‐２からの、作動された逆阻止能力を有するスイッチＲＳＳ＿ｌ４５‐ｉ、ＲＳＳ＿ｌ４５‐ｊ、ＲＳＳ＿ｒ４４‐ｉ、ＲＳＳ＿ｒ４４‐ｊを介した、低電圧サブネットワーク２１への電力供給を示す。正極５２から、第１の電流経路７１が、逆阻止能力を有するスイッチＲＳＳ＿ｌ４５‐ｉを介して、第２の接続された第２のバッテリユニット４１‐２を介して、逆阻止能力を有する他のスイッチＲＳＳ＿ｒ４４‐ｉを介して負極５１へと通じている。さらに、正極５２から、他の電流経路７２が、逆阻止能力を有するスイッチＲＳＳ＿ｌ４５‐ｊを介して、接続された第１のバッテリユニット４１‐１を介して、逆阻止能力を有する更なる別のスイッチＲＳＳ＿ｒ４４‐ｊを介して負極５１へと通じている。スイッチ９０‐１が開放される場合には、第１のバッテリユニット４１‐１及び第２のバッテリユニット４１‐２は、低電圧サブネットワーク２１に対して並列に接続される。
【００４９】
図８は、逆阻止能力を有するスイッチ４４、４５及び順阻止能力を有するスイッチ９０の可能な構成を示している。その際に、スイッチの導通方向はＩで示される。逆阻止能力を有するスイッチＲＳＳ＿ｒ４４は、例えば、ＩＧＢＴ、ＭＯＳＦＥＴ（ｍｅｔａｌ  ｏｘｉｄｅ  ｓｅｍｉｃｏｎｄｕｃｔｏｒ  ｆｉｅｌｄ−ｅｆｆｅｃｔ  ｔｒａｎｓｉｓｔｏｒ、金属酸化物半導体電界効果トランジスタ）、又はバイポーラトランジスタ１０１と、これに対して直列に接続されたダイオード１０３と、を含む。図８では、固有のダイオード１０２が一緒に示されたＭＯＳＦＥＴが示されている。ＭＯＳＦＥＴ１０１に対して直列に接続されたダイオード１０３は、ＭＯＳＦＥＴ１０１の固有のダイオード１０２の方向とは逆に極性が与えられている。逆方向阻止能力を有するスイッチＲＳＳ＿ｒ４４は、導通方向Ｉに電流を通し、逆方向に対しては電流を阻止する。逆阻止能力を有するスイッチＲＳＳ＿ｌ４５は、ＲＳＳ＿ｒ４４と対応しているが、極性のみ反対の極性で構成されており、従って、導通方向とブロック方向とが交換される。順阻止能力を有するスイッチ９０は、ＭＯＳＦＥＴ、ＩＧＢＴ、又はバイポーラトランジスタ１０１を含み、その際に、その固有のダイオード１０２も一緒に示されている。スイッチＲＳＳ＿ｌ４５、ＲＳＳ＿ｒ４４、及び、ＶＳＳ９０は特に、切り替え過程の際の殆ど気付かない程度の遅延によっても卓越しており、即ち、非常に短い切り替え時間を可能とする。適切な駆動回路を介して、スイッチの停止と作動との間の時間差が非常に厳密に設定されうる。
【００５０】
本発明は、本明細書で思案された実施例、及びそこで強調された観点には限定されない。むしろ、請求項により示された範囲において、当業者の行為に範囲に収まる複数の変更が可能である。
【図１】
0006313473.tif 000003
【図２】
0006313473.tif 000004
【図３】
0006313473.tif 000005
【図４】
0006313473.tif 000006
【図５】
0006313473.tif 000007
【図６】
0006313473.tif 000008
【図７】
0006313473.tif 000009
【図８】
0006313473.tif 000010